(57)【要約】【課題】フローティング支持以外の構造で、すりこぎ運動に起因する異音を抑制できる車両空調用ブロワ装置を提供する。【解決手段】有底筒状のモータヨーク１２を有するモータ５を備え、モータ５の外部の一方側においてモータ軸１０に取り付けられ、回転子１０とともに回転するファン２を有する。更にファン２を取囲むファンスクロール３を有し、ファンスクロール３に結合されモータヨーク１２を保持するカップ状のモータハウジング６を備える。そして、モータハウジング６のモータヨーク１２に接触する支持部７の一方向端部７ｔをファン２とモータ５とから成る電動ファン部分の回転している状態での動的重心Ｇよりも他方側に所定寸法Ｌ３離した。これにより、すりこぎ運動によるスラスト方向の振動成分Ｆａｓを小さくすることができ、異音を抑制できる。【選択図】図１
2014033505.tif 000002
【特許請求の範囲】
【請求項１】
モータ軸（８）に取り付けられた回転子（１０）と、該回転子（１０）の周囲に形成された固定子（１１）と、該固定子（１１）の周りを取り囲む有底筒状のモータヨーク（１２）とを有するモータ（５）と、
前記モータ軸（１０）の先端側である一方側において、前記回転子（１０）と共に回転するファン（２）と、
前記ファン（２）を取り囲むファンスクロール（３）と、
前記ファンスクロール（３）に結合され前記モータヨーク（１２）を保持するモータハウジング（６）と、を備え、
前記モータハウジング（６）は、前記一報側に設けられ前記ファンスクロール（３）に結合されたフランジ部（１３）を有し、
前記モータハウジング（６）が前記モータヨーク（１２）に接触して該モータヨーク（１２）を支持する支持部（７）の一方向端部（７ｔ）を前記ファン（２）と前記モータ（５）とから成る電動ファン部分の回転している状態での動的重心（Ｇ）よりも他方側に所定寸法（Ｌ３）離したことを特徴とする車両空調用ブロワ装置。
【請求項２】
前記モータハウジング（６）の底部（１５）から前記動的重心（Ｇ）までの寸法をＬ１とし、前記一方向端部（７ｔ）から前記底部（１５）までの寸法をＬ２としたとき、Ｌ１に対するＬ２の大きさの比（Ｌ２／Ｌ１）を０．９〜０．３の範囲内としたことを特徴とする請求項１に記載の車両空調用ブロワ装置。
【請求項３】
前記モータハウジング（６）は、前記支持部（７）よりも一方側において前記モータヨーク（１２）との間に円筒状の空間部（１７）を有する径方向拡大部（１８）を備えることを特徴とする請求項１または２に記載の車両空調用ブロワ装置。
【請求項４】
前記モータハウジング（６）は、前記フランジ部（１３）と前記底部（１５）との間において、前記モータヨーク（１２）に介在部（２３）を介して接触する前記支持部（７）と、前記支持部（７）よりも前記一方側において前記モータヨーク（１２）との間に形成された円筒状の空間部（１７）とを有することを特徴とする請求項１または２に記載の車両空調用ブロワ装置。
【請求項５】
前記モータハウジング（６）は、前記フランジ部（１３）と前記底部（１５）との間において、リブ（２３ｂ）を介して前記モータヨーク（１２）に接触する前記支持部（７）と、前記支持部（７）よりも前記一方側において前記モータヨーク（１２）との間に形成された円筒状の空間部（１７）とを有し、前記リブ（２３ｂ）は、前記モータハウジング（６）または前記モータヨーク（１２）の一部変形加工部から成ることを特徴とする請求項１または２に記載の車両空調用ブロワ装置。
【請求項６】
前記空間部（１７）の一方側に前記ファン（２）からの風が前記空間部（１７）内に入るのを抑制するカバー（２２）を設けたことを特徴とする請求項３ないし５のいずれか一項に記載の車両空調用ブロワ装置。
【発明の詳細な説明】
【技術分野】
【０００１】
本発明は、車両用空調装置において空調風の通路を成すユニットケース内に空気を流す車両空調用ブロワ装置に関するものである。
【背景技術】
【０００２】
車両空調用ブロワ装置の課題の一つとして、ユニットケース（空調用ダクトとも言う）と組合せた時の磁気振動に伴う異音の発生がある。この異音の発生に対する通常の対策は、モータ側の加振力の低減を図ったり、モータ取付け用の保持部材（モータハウジングの特にフランジ部）およびユニットケースの剛性を工夫（剛性のアップダウン）し磁気振動の伝播を低減させたりすることである。しかし、上記対策は、異音の高周波数帯には一定の効果を発揮するが、低周波帯にはあまり効果がない。
【０００３】
モータには円周方向の回転力のむら（コギング等）がある。軸中心のずれにより、上記回転力のむらは、すりこぎ運動を引き起こす。このすりこぎ運動により、フランジ部に直交する方向（スラスト方向）の振動（スラスト振動）が発生し異音の原因になる。このように、異音の発生が、フランジ部のスラスト振動によることが確認されているが、すりこぎ運動自体を無くすことは困難である。
【０００４】
従来、すりこぎ運動に対して対策をしたものとして、特許文献１に記載のブロアモータ用モータハウジング（ホルダ）がある。この特許文献１では、ブロアモータ作動時に発生しようとするモータのすりこぎ運動（振動）を抑制することができるブロアモータ用のモータハウジングを提供するために次の構成を採用している。
【０００５】
モータヨーク（磁束を流すため金属性のカップ）が、カップ状の樹脂部材からなるモータハウジングにフローティング支持されることにより保持される。モータハウジングは、モータヨークを挿入可能な略有底筒状の収容部と、収容部の外周面から径方向外側に放射状に延設される６個の連結部を有する。連結部の外側先端部と連結され収容部の外周を囲うように配設されるベンチュリーリング部を備える。モータハウジングは、内周面の周方向に３個の側部防振ゴムを保持するための防振ゴム保持部を有している。
【先行技術文献】
【特許文献】
【０００６】
【特許文献１】特許第３３７８８３６号公報
【発明の概要】
【発明が解決しようとする課題】
【０００７】
従来の一般的手法を用いて、発明者は、先ず、加振源であるモータのトルク変動による振動を車両用空調装置のユニットケースに極力伝播させないという観点から、ユニットケースと車両空調用ブロワ装置との取付け部の剛性のチューニング（剛性のアップダウン）を実施したり、ユニットケースの壁面に補強リブを立てることで、剛性を上げたりする等で異音対策とした。
【０００８】
しかし、車種毎に異なる各ユニットケースのチューニングが必要となることと、ユニットケース上の広い平面部の剛性を上げるため、板厚を厚くしたり、大きな補強リブを立てたりする必要があり、ユニットケースひいては車両用空調装置全体の重量増加の要因となっている。
【０００９】
一方、上記特許文献１の技術は、モータヨークがモータハウジングにフローティング支持されることにより、すりこぎ運動に起因する異音を防止するものであるため、フローティング支持のための３個の防振ゴムおよび６個の連結部を必要とし、コストアップする。また、連結部相互間に風が流れる特殊構造となる。従って、上記のフローティング支持以外の構造で、すりこぎ運動に起因する異音を抑制する構造が望まれる。
【００１０】
本発明は、このような従来の技術に存在する問題点に着目して成されたものであり、その目的は、フローティング支持以外の構造で、すりこぎ運動に起因する異音を抑制できる車両空調用ブロワ装置を提供することにある。
【００１１】
従来技術として列挙された特許文献の記載内容は、この明細書に記載された技術的要素の説明として、参照によって導入ないし援用することができる。
【課題を解決するための手段】
【００１２】
本発明は上記目的を達成するために、下記の技術的手段を採用する。すなわち、請求項に記載の発明では、モータ軸（８）に取り付けられた回転子（１０）と、該回転子（１０）の周囲に形成された固定子（１１）と、該固定子（１１）の周りを取り囲む有底筒状のモータヨーク（１２）とを有するモータ（５）と、モータ軸（１０）の先端側である一方側において、回転子（１０）と共に回転するファン（２）と、ファン（２）を取り囲むファンスクロール（３）と、ファンスクロール（３）に結合されモータヨーク（１２）を保持するモータハウジング（６）と、を備え、モータハウジング（６）は、一報側に設けられファンスクロール（３）に結合されたフランジ部（１３）を有し、モータハウジング（６）がモータヨーク（１２）に接触して該モータヨーク（１２）を支持する支持部（７）の一方向端部（７ｔ）をファン（２）とモータ（５）とから成る電動ファン部分の回転している状態での動的重心（Ｇ）よりも他方側に所定寸法（Ｌ３）離したことを特徴としている。
【００１３】
この発明によれば、モータヨークを保持するモータハウジングの支持部の一方向端部の位置を、すりこぎ運動によるスラスト成分への振動変換が最も大きい動的重心と同レベルの位置から他方向側の位置に離すことで、すりこぎ運動による傾きが抑制されるため、スラスト成分への振動変換が小さくなり、すりこぎ運動により支持部の一方向端部を介して外部に伝わる振動を低減できる。
【００１４】
また、請求項に記載の発明では、モータハウジング（６）は、支持部（７）よりも一方側においてモータヨーク（１２）との間に円筒状の空間部（１７）を有する径方向拡大部（１８）を備えることを特徴としている。
【００１５】
この発明によれば、空間部が形成される部位では、モータヨークからの振動をモータハウジングが受けないようにすることができ、モータハウジングの支持部の一方向端部の位置を、すりこぎ運動によるスラスト成分への振動変換が最も大きい動的重心と同レベルの位置から他方向側の位置に離すことができる。
【００１６】
更に、請求項に記載の発明では、モータハウジング（６）は、フランジ部（１３）と底部（１５）との間において、モータヨーク（１２）に介在部（２３）を介して接触する支持部（７）と、支持部（７）よりも一方側においてモータヨーク（１２）との間に形成された円筒状の空間部（１７）とを有することを特徴としている。
【００１７】
この発明によれば、介在部を介して、所望の位置でモータヨークの振動をモータハウジングに伝達することができ、かつ空間部が形成される部位では、モータヨークからの振動をモータハウジングが受けないようにすることができるから、モータハウジングの支持部の一方向端部の位置を、すりこぎ運動によるスラスト成分への振動変換が最も大きい動的重心と同レベルの位置から他方向側の位置に離すことができる。
【００１８】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１９】
【図１】本発明の第１実施形態を構成する車両空調用ブロワ装置の縦断面図である。
【図２】上記第１実施形態に対する比較例を示す車両空調用ブロワ装置の縦断面図である。
【図３】上記第１実施形態に対する比較例のすりこぎ運動を示す説明図である。
【図４】上記第１実施形態におけるすりこぎ運動を示す説明図である。
【図５】本発明の第２実施形態を構成する車両空調用ブロワ装置の縦断面図である。
【図６】本発明の第３実施形態を構成する車両空調用ブロワ装置の縦断面図である。
【図７】本発明の第４実施形態を構成する車両空調用ブロワ装置の縦断面図である。
【発明を実施するための形態】
【００２０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２１】
各実施形態で具体的に組合せが可能であることを明示している部分同士の組合せばかりではなく、特に組合せに支障が生じなければ、明示していなくても実施形態同士を部分的に組合せることも可能である。
【００２２】
（第１実施形態）
以下、本発明の第１実施形態について、図１を用いて詳細に説明する。この車両空調用ブロワ装置１は、車室内を空調する車両用空調装置に用いられる。周知のように車両空調用ブロワ装置１は、外気または内気の空気を取り込む部分に遠心多翼ファンからなるファン２が配置される。
【００２３】
また、ファン２を回転駆動するモータ５が取り付けられる。また、ファン２の周りを覆うファンスクロール３は、車両用空調装置の図示しないユニットケースに取り付けられる。車両用空調装置は、図示しないエバポレータが配置されるクーラユニット部と、ヒータコアが配置されると共に空気を吹き出す吹出口が形成されたヒータユニット部とを、一つのユニットケース内に一体的に形成している。
【００２４】
この種の車両空調用ブロワ装置１は、渦巻状をしたファンスクロール３内にファン２が内蔵されている。ファンスクロール３の空気吸込口４に、車室内空気と車室外空気とを選択的に導入する図示しない内外気切換ボックスが取り付けられ、この内外気切換ボックスと車両空調用ブロワ装置１とから、車室内または車室外の空気をユニットケース内に選択的に取り込む。
【００２５】
ファン２を回転駆動するモータ５は、樹脂製のカップから成るモータハウジング６に保持されている。また、車両空調用ブロワ装置１には、モータ５内を冷却するための風をファンスクロール３内から取り出してモータハウジング６内に案内する可撓性を有する冷却ホースが取り付けられることがあるが、図１では省略している。
【００２６】
また、モータ５のモータ軸８の一方側に取り付けられた整流子９と、モータ軸８に取り付けられた回転子１０と、該回転子１０の周囲に形成された磁石からなる固定子１１と、該固定子１１の周りを取囲む有底の鉄製筒から成るモータヨーク１２とをモータ５が有している。
【００２７】
ファンスクロール３に結合されたモータハウジング６は、モータヨーク１２を保持する。モータハウジング６は、ファンスクロール３に結合されたフランジ部１３を有する。モータハウジング６の、モータヨーク１２に接触する部分である支持部７の一方向端部７ｔを、動的重心Ｇよりも他方側に所定寸法Ｌ３離して形成している。この動的重心Ｇは、ファン２つまり、モータ５とから成る電動ファン部分２、５の回転している状態での動的重心Ｇである。
【００２８】
モータハウジング６の底部１５から動的重心Ｇまでの寸法をＬ１とし、支持部７の一方向端部７ｔから底部１５までの寸法をＬ２としたとき、Ｌ１に対するＬ２の大きさの比（Ｌ２／Ｌ１）を０．９〜０．３の範囲内（好ましくは、０．８から０．４の範囲内）としている。
【００２９】
モータハウジング６には、フランジ部１３と底部１５との間にモータヨーク１２に直接接触する円筒状の接触部を有し、この接触部の一方向端部から上記支持部７が形成されている。そして、支持部７の一方側においてモータヨーク１２との間に円筒状の空間部１７を有する径方向拡大部１８が形成されている。
【００３０】
ここで本発明の実施形態を理解するために、比較例となる図２の車両空調用ブロワ装置１について説明する。図２において、車両空調用ブロワ装置１に取り付けられるモータ５のモータヨーク１２は、ほぼ全域にわたりモータハウジング６と接触している。つまり、支持部７は、ほぼ全域にわたって設けられ、支持部７の一方向端部７ｔは、フランジ部１３の内周側端部に位置している。
【００３１】
モータハウジング６は、ファンスクロール３に結合された上記フランジ部１３を有する。ファンスクロール３にフランジ部１３にて結合されたモータハウジング６は、モータヨーク１２を保持する。モータハウジング６のモータヨーク１２に接触する部分である支持部７の一方向端部７ｔは、ファン２とモータ５とから成る電動ファン部分２、５の回転している状態での動的重心Ｇよりも一方側に位置している。
【００３２】
従って、モータ５のモータヨーク１２のすりこぎ運動に起因する振動は、支持部７を介してフランジ部１３からファンスクロール３、更には車両用空調装置のユニットケースから車両内に伝わり、乗員に異音として聞こえる。この異音は主に回転中のモータ５の磁気振動がフランジ部１３を伝播しユニットケースの壁面を振動させることで、ユニットケース内で共鳴（増幅）して聞こえる振動音である。
【００３３】
図２の比較例の車両空調用ブロワ装置１が回転すると、すりこぎ運動が発生する。図２および図３に基づいて、比較例のすりこぎ運動を説明する。車両空調用ブロワ装置１のファン２とモータ５とから成る組付け体の回転時の動的重心Ｇを中心としてファン２側（一方側）からモータ５側（他方側）に向かう直線の周りに対称的に砂時計状のすりこぎ運動が発生する。この場合、モータハウジング６が、図３の左右方向に大きく傾いて振れる。図３では右側にモータハウジング６が位置６ａに傾いた瞬間を破線で模式的に強調して図示している。
【００３４】
すりこぎ運動の半径Ｒ１は、モータハウジング６の底部１５の最大変位量である、このすりこぎ運動の半径Ｒ１に応じた力Ｆ１が、モータハウジング６に作用する。これによって、図２の車両空調用ブロワ装置１のファンスクロール３とモータハウジング６との結合部１９から支持部７の一方向端部７ｔにかけて、振動力が作用する。
【００３５】
そして、図３の加振力Ｆａが作用する。この加振力Ｆａは、上下左右方向の力のベクトル成分Ｆａｓ、Ｆａｒとして作用する。つまり、すりこぎ運動がスラスト振動等に変換されたものとして振動が発生する。この加振力Ｆａは、すりこぎ運動の傾きが大きく半径Ｒ１が大きいほど大きくなる。この場合、図３における動的重心Ｇからモータハウジング６の底部１５までの寸法はＬ１と成る。
【００３６】
発明者には、以前から図２のモータハウジング６のモータ軸８の軸方向（スラスト方向）の振動成分Ｆａｓが、特にユニットケース５等を振動させ易い傾向にあるため、スラスト方向の振動成分Ｆａｓを低減することが、磁気振動に起因する異音を低減させることに有効であるとの認識があった。
【００３７】
そこで、図４のように、動的重心Ｇから支持部７の一方向端部７ｔまでの寸法Ｌ３を大きくした。この結果、支持部７の一方向端部７ｔからモータハウジング６の底部１５までの寸法が図１、図４のＬ２のようにＬ１よりも小さくなる。これにより、図４の支持部７の一方向端部７ｔに作用する上下方向の加振力を小さくできることに気づいた。つまり、すりこぎ運動による振動を抑制するには、動的重心Ｇから離れたところを支持部７の一方向端部７ｔとすると良い。
【００３８】
そして、支持部７の一方向端部７ｔが、動的重心Ｇからファン２の方向（一方向）に離れると、ファン２とモータ５とが干渉するため、モータ５がファン２から離れる方向（他方側）において、動的重心Ｇから離れたところを支持部７の一方向端部７ｔとすると良い。
【００３９】
図４において、底部１５の最大変位量である回転半径が異なるモータ回転時に発生する所定のすりこぎ運動の遠心力Ｆ１、Ｆ２について考察すると、Ｆ１、Ｆ２は夫々数式１、数式２および数式３のようになる。
【００４０】
（数式１）Ｆ１＝ｍ×ＲＩ×ω２
（数式２）Ｆ２＝ｍ×Ｒ２×ω２
（数式３）Ｆ２／Ｆ１＝Ｌ２／Ｌ１
ただし、ｍは質量、Ｒ１およびＲ２は回転半径上の作用点、ωは角速度である。
【００４１】
モータ５の回転数が同じであれば、回転半径大きい部位では遠心力が大きいという関係になり、遠心力が大きければ、モータハウジング６を半径方向（遠心力方向）へ傾ける力も大きくなる。そして、支持部７の一方向端部７ｔ（支持点７ｔとも言う）が動的重心Ｇに近い図２の構成では、支持点７ｔが動的重心Ｇからより離れた図１の構成に比べて、遠心力が大きく作用し、大きく傾いてすりこぎ運動を行う。
【００４２】
また、モータ５のトルク変動により発生する振動の分力（スラスト方向のベクトル成分をＦａｓとし、ラジアル方向のベクトル成分をＦａｒとする）において、モータハウジング６を傾かせる力が大きいほど、スラスト方向のベクトル成分をＦａｓが増加し、フランジ部１３のたわみ（変位量）が大きくなることで磁気音悪化に繋がっている。
【００４３】
このような考察に基づいて、本発明の実施形態においては、図１のように、モータハウジング６のフランジ部１３と底部１５との間に、径方向拡大部１８および段付き部２１を形成した。これにより、車両空調用ブロワ装置１のファンスクロール３とモータハウジング６との結合部１９の高さ位置から段付き部２１の高さ位置にかけてモータハウジング６とモータヨーク１２との間に空間部１７が形成されている。空間部１７は、円筒形のモータヨーク１２の周囲をドーナツ状に取囲んでいる。
【００４４】
従って、図１においては、段付き部２１の底の円周端部が、車両空調用ブロワ装置１のユニットケースひいては車両への振動力伝播の起点である支持部７の一方向端部７ｔとなる。すりこぎ運動に起因する振動は、この支持部７の一方向端部７ｔを介してユニットケースから車両内に伝わり、乗員に異音として聞こえる。
【００４５】
この場合、支持部７の一方向端部７ｔと動的重心Ｇの位置とが寸法Ｌ３だけ乖離しているため、すりこぎ運動による径方向拡大部１８およびフランジ部１３を経由する加振力Ｆａ（図４）のベクトルの傾きも小さくなる。つまり、モータハウジング６の段付き部２１のリング状の底を支持部７の一方向端部７ｔとし、この支持部７の一方向端部７ｔを動的重心Ｇから離すことで、すりこぎ運動に起因するスラスト成分への振動変換が小さくなり、スラスト方向の成分Ｆａｓを小さくすることができる。
【００４６】
図４において、Ｌ１に対してＬ２が小さいほうが、動的重心Ｇから支持部７の一方向端部７ｔが離れるため、効果が大きいが、Ｌ２が小さいと、モータハウジング６のモータヨーク１２を支持する作用が損なわれる。つまり底の浅い容器状のモータハウジング６でモータヨーク１２を保持することになるため、ある程度以上の大きさのＬ２の寸法が必要である。このため、Ｌ２／Ｌ１を０．９から０．３の範囲、好ましくは０．８から０．４の範囲に設定すると良い。
【００４７】
以上のように、上記実施形態は、モータ５の回転子１０が磁気変動（トルク変動）により発生させる接線方向振動が、ファン２とモータ５との一体結合構造において、すりこぎ運動に変わるが、上記実施形態の構造によれば、モータ５を保持するモータハウジング６の支持部７の一方向端部７ｔの位置を、動的重心Ｇから離して設定することで、すりこぎ運動の傾きを抑制し、支持部７を介して伝わるスラスト方向の振動成分を低減することができる。
【００４８】
これにより、モータ５のフランジ部１３等の剛性調整のみでは低減しきれなかった磁気振動の伝播を低減させるための新たな構造を提供できる。あるいは、防振用のゴムフロートやブチルゴムを用いる等のコストアップを伴う異音対策に対し、ほぼコストアップ無しで実施できる。
【００４９】
また、上記実施形態の振動の伝播低減構造とすることで、ユニットケースの磁気振動に起因する異音に対する設計ロバスト性を向上でき、かつユニットケース側での対策に比べ材料体積および重量を抑えることが可能となり、コスト面でも優位となる。
【００５０】
（第１実施形態の作用効果）
上記第１実施形態の作用効果をまとめて説明する。上記第１実施形態においては、モータ軸８に取り付けられた回転子１０と、該回転子１０の周囲に形成された固定子１１と、該固定子１１の周りを取囲む有底筒状のモータヨーク１２とを有するモータ５を備えている。このモータ５の外部の一方側においてモータ軸１０に取り付けられ、回転子１０と共に回転するファン２を有する。また、ファン２を取囲むファンスクロール３を有する。更に、ファンスクロール３に結合されモータヨーク１２を保持するモータハウジング６を有する。
【００５１】
そして、モータハウジング６は、周辺部がファンスクロール３に結合されたフランジ部１３を有し、モータハウジング６がモータヨーク１２に接触する部分の一方向端部から成る支持部７の一方向端部７ｔを、ファン２とモータ５とから成る電動ファン部分の回転している状態での動的重心Ｇよりも他方側に所定寸法Ｌ３離し、モータハウジング６の底部１５から動的重心Ｇまでの寸法をＬ１とし、支持部７の一方向端部７ｔから底部１５までの寸法をＬ２としたとき、Ｌ１に対するＬ２の大きさの比Ｌ２／Ｌ１を０．９〜０．３の範囲内としている。
【００５２】
これによれば、モータ５を保持するモータハウジング６の支持部７の一方向端部７ｔを、すりこぎ運動によるスラスト成分への振動変換が最も大きい動的重心Ｇから他方向に離すことで、すりこぎ運動に起因して支持部７の一方向端部７ｔを介して外部に伝わる振動を低減できる。
【００５３】
また、モータハウジング６は、フランジ部１３と底部１５との間にモータヨーク１２に直接接触する円筒状の接触部からなる支持部７の一方側端部７ｔと、支持部７の一方側においてモータヨーク１２との間に形成された円筒状の空間部１７を有する径方向拡大部１８とを有する。
【００５４】
これによれば、空間部１７によってモータヨーク１２からの振動をモータハウジング６が受けないようにすることができ、モータハウジング６の支持部７の一方向端部７ｔを、すりこぎ運動によるスラスト成分への振動変換が最も大きい動的重心から他方向に離すことができる。
【００５５】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。
【００５６】
上記第１実施形態においては、図１のように、モータヨーク１２とモータハウジング６との間に、ドーナツ状の空間部１７が形成されたが、この空間部１７で風が滞留したり渦を巻いたりするのを防止し、ファン２の送風効率を上げるために、第２実施形態においては、図５のように、カバー２２（２２ａ、２２ｂ）を設けて、空間部１７を極力閉塞したものである。カバー２２は、モータハウジング６より肉厚の薄いまたは剛性が小さいリング状の部材が好ましい。
【００５７】
これによれば、リング状のカバー２２がドーナツ状の空間部１７の入口を塞ぐので空間部１７で風が滞留したり渦を巻いたりするのを防止できる。また、リング状のカバー２２の先端がモータヨーク１２に当接しないで隙間を設けることが望ましい。当接させた場合は、カバー２２が振動伝播経路となるが、剛性が小さくされていれば振動伝播による悪影響は無視でき、送風効率を向上することができる。
【００５８】
上記第２実施形態においては、空間部１７の一方側にファン２からの風が、空間部１７内に入るのを抑制するカバー２２を設けた。これによれば、カバーによってファンからの風が空間部内に入るのを防止できるから、ファンの送風効率が損なわれることがない。
【００５９】
（第３実施形態）
次に、本発明の第３実施形態について説明する。上述した実施形態と異なる特徴部分を説明する。図６において、モータハウジング６の内側にモータ保持用の樹脂材料から成る介在部２３（２３ａ、２３ｂ）を形成している。この介在部２３は、モータヨーク１２の外周を取囲んでいる。
【００６０】
従って、モータ５の回転中における傾き変位により環状の介在部２３を介してモータヨーク１２→介在部２３→モータハウジング６のように力が伝達される。そして、介在部２３が支持部７を成し、この一方側端部７ｔが、振動を伝える起点となる。従って、段付き部が無くても、空間部１７が形成でき、回転中の動的重心Ｇよりも他方向側の位置に、支持部７の一方向端部７ｔを設けたのと同じ結果となる。
【００６１】
なお、介在部２３は、モータハウジング６またはモータヨーク１２とは別の樹脂成形品であるが、介在部２３を、モータハウジング６またはモータヨーク１２にプレス加工等で一体成形されたリブとしても良い。これによれば、支持部７となるリブの形成位置で支持部7の一方向端部７ｔの位置を決定でき、かつ特別な部材を必要としない。
【００６２】
（第４実施形態）
次に、本発明の第４実施形態について説明する。上述した実施形態と異なる特徴部分を説明する。図７において、モータハウジング６の内側に複数の断面Ｌ字状の介在部２３（２３ａ、２３ｂ）を形成している。この複数の介在部２３は、全体としてリング状であり、他方側に径方向厚さの厚い厚肉部分が、突起状に多数設けられている。この厚肉部分は、モータヨーク１２の周囲を取囲んでおり、モータハウジング６と介在部２３とモータヨーク１２との接触部位の一方向端部が支持部７の一方向端部７ｔとなる。
【００６３】
支持部７の一方向端部７ｔは、回転中の動的重心Ｇよりも図７において下の位置（他方側）にある。従って、モータ５の回転中におけるモータヨーク１２の傾き変位により上記支持部７の一方向端部７ｔを介して振動力が伝達され、回転中の動的重心Ｇよりも他方側の位置に支持部７の一方向端部７ｔを設けた効果が発揮される。
【００６４】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【００６５】
例えば、モータは整流子の無い無整流子モータ（ブラシレスモータ）であっても良い。また、本発明は、防振用のゴムフロートやブチルゴムを用いる等の従来対策と併用することを妨げるものではない。なお、本発明において、動的重心の位置は、すりこぎ運動の径方向変位量が最も少ない回転軸上のセンターを動的重心の位置とすることができる。
【符号の説明】
【００６６】
３  ファンスクロール
６  モータハウジング
７  支持部
７ｔ  支持部の一方向端部
１２  モータヨーク
１３  フランジ部
１５  モータハウジングの底部
１７  空間部
１８  径方向拡大部
２３  介在部（リブ）
【図１】
2014033505.tif 000003
【図２】
2014033505.tif 000004
【図３】
2014033505.tif 000005
【図４】
2014033505.tif 000006
【図５】
2014033505.tif 000007
【図６】
2014033505.tif 000008
【図７】
2014033505.tif 000009